(57)【要約】      （修正有）【課題】デジタルアンプにおいて定電圧のスイッチング時に生じる「出力信号へのノイズ重畳」の問題を効果的に解決可能に構成されたデジタルアンプを提供する。【解決手段】入力されたオーディオ信号をパルス幅変調（ＰＷＭ）などしたデジタル信号である第一チャンネル用信号と第二チャンネル用信号を取得すると、第一チャンネル用信号をアンプした＋又は−信号と第二チャンネル用信号を逆位相アンプした−又は＋信号を生成するように構成することで、それぞれのスイッチング時に瞬時に流れ込む電流（以下、「突入電流」という）を互いに逆方向に生じさせ、その結果、ＧＮＤ（グラウンド）に対しては前記突入電流が打ち消しあうようになり、出力信号にノイズが重畳するのを回避する。【選択図】図２
2010118791.tif 000002
【特許請求の範囲】
【請求項１】
第一チャンネル用信号および第二チャンネル用信号の入力に応じ、
第一チャンネル用信号をアンプした＋又は−信号を生成する第一スイッチング素子と、
第二チャンネル用信号を逆位相アンプした−又は＋信号を生成する第二スイッチング素子と、
を有するオーディオ用デジタルアンプ。
【請求項２】
請求項１に記載のデジタルアンプと、
前記デジタルアンプから出力される第一チャンネル用の信号を入力される第一スピーカ、および、第二チャンネル用の信号を極性を逆にして入力される第二スピーカを有するステレオスピーカと、
を含むオーディオシステム。
【請求項３】
第一チャンネル用信号と第二チャンネル用信号を取得する取得ステップと、
取得した第一チャンネル用信号をアンプした＋又は−信号と、第二チャンネル用信号を逆位相アンプした−又は＋信号を生成するアンプステップと、
を有するオーディオ用信号処理方法。
【請求項４】
第一チャンネル用信号と第二チャンネル用信号をオーディオ用デジタルアンプに取得させる制御をする取得命令ステップと、
取得した第一チャンネル用信号をアンプした＋又は−信号と、第二チャンネル用信号を逆位相アンプした−又は＋信号を生成するようオーディオ用デジタルアンプを制御するアンプ制御ステップと、
を計算機に実行させるためのプログラム。
【発明の詳細な説明】
【技術分野】
【０００１】
本発明は、オーディオアンプやＴＶの音声増幅器に使用されるデジタルアンプおよび前記オーディオアンプとスピーカを有するオーディオシステムおよびオーディオ用信号処理方法およびオーディオ用信号処理プログラムに関する。
【背景技術】
【０００２】
近年、アナログアンプに比べ電力効率が良く、また、小型化ができることで、オーディオアンプやＴＶの音声増幅器にデジタルアンプが頻繁に使用されている。デジタルアンプは、入力されたオーディオ信号をパルス幅変調（ＰＷＭ）などしたデジタル信号（以下、「スイッチング制御信号」という）を生成すると、前記スイッチング制御信号で定電圧をスイッチングし、波形増幅されたデジタル信号を得る。そして、前記波形増幅されたデジタル信号をローパスフィルタに通しＤ／Ａ変換などすることで、元のオーディオ信号成分を増幅した信号を生成し、出力するよう構成される。デジタルアンプから出力された信号は、スピーカに入力され、スピーカから音声が出力される。
【０００３】
ここで、デジタルアンプは、スイッチングする定電圧が不安定だと、出力信号にノイズが重畳してしまうという問題がある。例えば、スイッチング制御信号によってスイッチング素子をＯＮ／ＯＦＦする際に瞬時に流れ込む電流により、定電圧電源およびＧＮＤ（グラウンド）の電位が大きく振られてしまい、その影響で出力信号にノイズが重畳したりする。
【０００４】
デジタルアンプから出力される信号にノイズが重畳してしまうと、その信号の入力によりスピーカから出力される音声にも、音質の劣化などの悪影響が現れてしまう。そのため、デジタルアンプに接続される定電圧電源には、ノイズの問題が生じないような安定した強固なものが求められる。
【０００５】
ここで、特許文献１に、定電圧のスイッチング時のノイズの問題を解決可能に構成した増幅回路が記載されている。この増幅回路は、入力端子からアナログ信号を入力しゲート駆動信号を生成するＰＷＭドライバ回路と、前記ゲート駆動信号により定電圧をスイッチングする出力スイッチング回路の各電源および各ＧＮＤを独立する構成としたものである。その結果、定電圧のスイッチング時に出力スイッチング回路で発生するノイズの原因が、ＰＷＭドライバ回路に及ぼす影響を軽減させている。しかしながら、当該構成の場合、ＰＷＭドライバ回路で発生するノイズを軽減できたとしても、出力スイッチング回路で発生するノイズを軽減することはできない。すなわち、デジタルアンプから出力される信号にノイズが重畳してしまうという問題を十分に解決可能には構成されていない。
【特許文献１】特開２００４−５６１７７
【発明の開示】
【発明が解決しようとする課題】
【０００６】
そこで、本発明では、デジタルアンプにおいて定電圧のスイッチング時に生じる「出力信号へのノイズ重畳」の問題を効果的に解決可能に構成されたデジタルアンプを提供することを課題とする。
【課題を解決するための手段】
【０００７】
上記課題を解決するための手段として、以下のような発明などを提供する。
【０００８】
入力されたオーディオ信号をパルス幅変調（ＰＷＭ）又はパルス密度変調（ＰＤＭ）などしたデジタル信号である第一チャンネル用信号と第二チャンネル用信号を取得すると、第一チャンネル用信号をアンプした＋又は−信号と第二チャンネル用信号を逆位相アンプした−又は＋信号を生成するように構成することで、それぞれのスイッチング時に瞬時に流れ込む電流（以下、「突入電流」という）を互いに逆方向に生じさせ、その結果、ＧＮＤ（グラウンド）に対しては前記突入電流が打ち消しあうようになり、出力信号にノイズが重畳するのを回避したオーディオ用デジタルアンプなどを提供する。
【０００９】
また、前記オーディオ用デジタルアンプと、前記オーディオ用デジタルアンプから出力される第二チャンネル用の信号を極性を逆にして入力されるように構成することで、前記オーディオ用デジタルアンプで逆位相アンプされた第二チャンネル用信号の位相を正常に戻し、位相を正常に戻した信号にて音声を出力するステレオスピーカとを有するオーディオシステムを提供する。
【００１０】
具体的には、以下のような発明を提供する。
【００１１】
第一発明では、第一チャンネル用信号および第二チャンネル用信号の入力に応じ、第一チャンネル用信号をアンプした＋又は−信号を生成する第一スイッチング素子と、第二チャンネル用信号を逆位相アンプした−又は＋信号を生成する第二スイッチング素子と、を有するオーディオ用デジタルアンプを提供する。
【００１２】
第二発明では、前記第一発明のデジタルアンプと、前記デジタルアンプから出力される第一チャンネル用の信号を入力される第一スピーカ、および、第二チャンネル用の信号を極性を逆にして入力される第二スピーカを有するステレオスピーカと、を含むオーディオシステムを提供する。
【００１３】
第三発明では、第一チャンネル用信号と第二チャンネル用信号を取得する取得ステップと、取得した第一チャンネル用信号をアンプした＋又は−信号と、第二チャンネル用信号を逆位相アンプした−又は＋信号を生成するアンプステップと、を有するオーディオ用信号処理方法を提供する。
【００１４】
第四発明では、第一チャンネル用信号と第二チャンネル用信号をオーディオ用デジタルアンプに取得させる制御をする取得命令ステップと、取得した第一チャンネル用信号をアンプした＋又は−信号と、第二チャンネル用信号を逆位相アンプした−又は＋信号を生成するようオーディオ用デジタルアンプを制御するアンプ制御ステップと、を計算機に実行させるためのプログラムを提供する。
【発明の効果】
【００１５】
本発明のオーディオ用デジタルアンプにより、定電圧のスイッチング時に生じる「出力信号へのノイズ重畳」の問題を効果的に解決することが可能となる。また、本発明のオーディオ用デジタルアンプを含むオーディオシステムにより、オーディオ用デジタルアンプの定電圧のスイッチング時に生じる「出力信号へのノイズ重畳」による音質劣化の問題を効果的に解決することが可能となる。
【発明を実施するための最良の形態】
【００１６】
以下に、本発明の実施例を説明する。なお、本発明はこれら実施例に何ら限定されるものではなく、その要旨を逸脱しない範囲内において、様々な態様で実施しうる。
<実施形態の概要>
【００１７】
本実施形態のオーディ用デジタルアンプは、第一スイッチング素子と第二スイッチング素子を有する。図１に示すように、第一スイッチング素子は、第一チャンネル用の信号の入力を受付けると、入力された第一チャンネル用信号に応じて定電圧をスイッチングし、第一チャンネル用信号をアンプした「＋又は−信号」を生成する。一方、第二スイッチング素子は、第二チャンネル用の信号の入力を受付けると、入力された第二チャンネル用信号に応じて定電圧をスイッチングし、第二チャンネル用信号を逆位相アンプした「−又は＋信号」を生成する。
【００１８】
このように構成することで、第一スイッチング素子への第一チャンネル用信号の入力による定電圧のスイッチング時と、第二スイッチング素子への第二チャンネル用信号の入力による定電圧のスイッチング時のそれぞれに生じる突入電流をＧＮＤ（グラウンド）に対して互いに逆方向に生じさせ、ＧＮＤ（グラウンド）に対する突入電流の影響を打ち消しあい、出力信号にノイズが重畳するのを回避している。
【００１９】
また、本実施形態のオーディオシステムは、前記オーディオ用デジタルアンプと、前記オーディオ用デジタルアンプから出力される逆位相アンプされた第二チャンネル用の信号の極性を逆にして入力されるスピーカとから構成される。
【００２０】
このように構成することで、逆位相アンプされた第二チャンネル用の信号の位相を正常に戻し、位相を正常に戻した信号にて音声を出力することを実現している。
<本実施形態の機能的構成>
【００２１】
図２は、本実施形態のオーディオ用デジタルアンプとステレオスピーカとからなるオーディオシステムの機能ブロック図の一例を表す図である。これらの図にあるように本実施形態の「オーディオシステム」は「オーディオ用デジタルアンプ」（０２Ａ００）と「ステレオスピーカ」（０２Ｂ００）とを有する。そして、「オーディオ用デジタルアンプ」（０２Ａ００）は、「第一スイッチング素子」（０２Ａ０１）と、「第二スイッチング素子」（０２Ａ０２）を有し、「ステレオスピーカ」（０２Ｂ００）は「第一スピーカ」（０２Ｂ０１）と、「第二スピーカ」（０２Ｂ０２）を有する。なお、オーディオ用デジタルアンプ（０２Ａ００）は「ローパスフィルタ」（０２Ａ０３）を有してもよい。
【００２２】
なお、以下に記載する本装置の機能ブロックは、ハードウェア、またはハードウェア及びソフトウェアの組合せとして実現され得る（本明細書の全体を通じて同様である）。
【００２３】
以下、本実施形態の「オーディオシステム」の「オーディオ用デジタルアンプ」（０２Ａ００）と「ステレオスピーカ」（０２Ｂ００）の機能的構成について説明する。
<<「オーディオ用デジタルアンプ」（０２Ａ００）>>
【００２４】
「オーディオ用デジタルアンプ」（０２Ａ００）は、「第一スイッチング素子」（０２Ａ０１）と、「第二スイッチング素子」（０２Ａ０２）を有する。
<<<第一スイッチング素子>>>
【００２５】
「第一スイッチング素子」（０２Ａ０１）は、第一チャンネル用信号の入力に応じ、第一チャンネル用信号をアンプした＋又は−信号を生成するよう構成される。「第一スイッチング素子（０２Ａ０１）に入力される第一チャンネル用信号」（以下、単に「第一チャンネル用信号」という）とは、入力端子などを介してオーディオ用デジタルアンプ（０２Ａ００）に入力された第一チャンネル用のオーディオ信号を、パルス幅変調（ＰＷＭ）又はパルス密度変調（ＰＤＭ）などしたデジタル信号のことである。
【００２６】
ここで、「第一チャンネル用信号をアンプした＋又は−信号を生成」とは、図３に示すように、第一チャンネル用信号として、「Ｈｉｇｈ」信号（例：「５Ｖ」）が入力された際には、正方向にアンプした＋の電圧値の出力信号を生成し、「Ｌｏｗ」（例：「０Ｖ」）信号が入力された際には、負方向にアンプした−の電圧値の出力信号を生成することを意味する。前記処理は、例えば、図２に示すように構成された第一スイッチング素子（０２Ａ０１）により実現することができる。以下、図２に示すように構成された第一スイッチング素子（０２Ａ０１）について説明する。
<<第一スイッチング素子（０２Ａ０１）>>
【００２７】
図２に示す第一スイッチング素子（０２Ａ０１）は、二つのＦＥＴ（ａ１、ａ２）と、前記二つのＦＥＴ（ａ１、ａ２）の動作を制御する第一制御部とからなる。ａ１のＦＥＴは、ＦＥＴを動作させるための所定の電圧をゲートに加えられると、＋Ｖの定電圧電源に接続されたドレインから出力端子（図中、ローパスフィルタに接続）に接続されたソースに向けて電流が流れるとともに（図中、矢印Ａ）、出力端子から＋Ｖの電圧を出力する。一方、ａ２のＦＥＴは、ＦＥＴを動作させるための所定の電圧をゲートに加えられると、出力端子（図中、ローパスフィルタに接続）に接続されたドレインから−Ｖの定電圧電源に接続されたソースに向けて電流が流れるとともに、出力端子から−Ｖの電圧を出力する。すなわち、二つのＦＥＴ（ａ１、ａ２）は、図４に示すような回路（０４０１）においてスイッチ（ａ１、ａ２）として機能しているのと同等である。そして、スイッチとして機能している二つのＦＥＴ（ａ１、ａ２）のスイッチのＯＮ／ＯＦＦを制御するのが第一制御部である。
【００２８】
図２の第一制御部は、入力される第一チャンネル用信号に応じ、「Ｈｉｇｈ」信号が入力された際には、スイッチａ１（ａ１のＦＥＴ）のみをＯＮし（スイッチａ２はＯＦＦ）、「Ｌｏｗ」信号が入力された際には、スイッチａ２（ａ２のＦＥＴ）のみをＯＮする（スイッチａ１はＯＦＦ）ように構成されている。すなわち、「Ｈｉｇｈ」信号が入力された際には、ａ１のＦＥＴ（スイッチａ１）のゲートのみに所定の電圧を加え、「Ｌｏｗ」信号が入力された際には、ａ２のＦＥＴ（スイッチａ２）のゲートのみに所定の電圧を加えるように構成される。前記は、例えば、図４に示すように、ａ１のＦＥＴ（スイッチａ１）のゲートには、第一チャンネル用信号の位相のまま、スイッチングを制御するために電圧値を調整されたスイッチング制御信号を入力し、ａ２のＦＥＴ（スイッチａ２）のゲートには、第一チャンネル用信号の位相を逆にし、スイッチングを制御するために電圧値を調整されたスイッチング制御信号を入力することで実現してもよい。
【００２９】
ここで、参考までに、図３に、図２のように構成された第一スイッチング素子（０２Ａ０１）に入力される第一チャンネル用信号と、前記入力に応じて第一チャンネル用信号をアンプした＋又は−信号（出力信号）の関係を示す。図３に示すように、第一スイッチング素子は、入力された第一チャンネル用信号のＨｉｇｈ信号又はＬｏｗ信号に応じ、＋信号（＋Ｖ）又は−信号（−Ｖ）を出力することで、第一チャンネル用信号を同じ位相のままアンプした出力信号を生成している。
<<<第二スイッチング素子>>
【００３０】
「第二スイッチング素子」（０２Ａ０２）は、第二チャンネル用信号の入力に応じ、第二チャンネル用信号を逆位相アンプした−又は＋信号を生成するよう構成される。「第二スイッチング素子（０２Ａ０２）に入力される第二チャンネル用信号」（以下、単に「第二チャンネル用信号」という）とは、入力端子などを介してオーディオ用デジタルアンプ（０２Ａ００）に入力された第二チャンネル用のオーディオ信号を、パルス幅変調（ＰＷＭ）又はパルス密度変調（ＰＤＭ）などしたデジタル信号のことである。
【００３１】
ここで、「第二チャンネル用信号を逆位相アンプした−又は＋信号を生成」とは、図５に示すように、第二チャンネル用信号を逆位相にし、アンプした−又は＋信号を生成することである。すなわち、第二チャンネル用信号として、「Ｈｉｇｈ」信号（例：「５Ｖ」）が入力された際には、負方向にアンプした−の電圧値の出力信号を生成し、「Ｌｏｗ」（例：「０Ｖ」）信号が入力された際には、正方向にアンプした＋の電圧値の信号を生成することを意味する。前記処理は、例えば、図２に示すように構成された第二スイッチング素子（０２Ａ０２）により実現することができる。以下、図２に示すように構成された第二スイッチング素子（０２Ａ０２）について説明する。
<<第二スイッチング素子（０２Ａ０２）>>
【００３２】
図２に示す第二スイッチング素子（０２Ａ０２）は、二つのＦＥＴ（ａ３、ａ４）と、前記二つのＦＥＴ（ａ３、ａ４）の動作を制御する第二制御部とからなる。ａ３のＦＥＴとａ４のＦＥＴについては、それぞれ、ａ１のＦＥＴとａ２のＦＥＴと同様であるので、ここでの詳細な説明は省略する。なお、二つのＦＥＴ（ａ３、ａ４）についても、図６に示すような回路（０６０１）においてスイッチ（ａ３、ａ４）として機能しているのと同等である。そして、スイッチとして機能している二つのＦＥＴ（ａ３、ａ４）のスイッチのＯＮ／ＯＦＦを制御するのが第二制御部である。
【００３３】
図２の第二制御部は、入力される第二チャンネル用信号に応じ、「Ｈｉｇｈ」信号が入力された際には、スイッチａ４（ａ４のＦＥＴ）のみをＯＮし（スイッチａ３はＯＦＦ）、「Ｌｏｗ」信号が入力された際には、スイッチａ３（ａ３のＦＥＴ）のみをＯＮする（スイッチａ４はＯＦＦ）ように構成されている。すなわち、「Ｈｉｇｈ」信号が入力された際には、ａ４のＦＥＴ（スイッチａ４）のゲートのみに所定の電圧を加え、「Ｌｏｗ」信号が入力された際には、ａ３のＦＥＴ（スイッチａ３）のゲートのみに所定の電圧を加えるように構成される。前記は、例えば、図６に示すように、ａ３のＦＥＴ（スイッチａ３）のゲートには、第二チャンネル用信号の位相を逆にし、スイッチングを制御するために電圧値を調整されたスイッチング制御信号を入力し、ａ４のＦＥＴ（スイッチａ４）のゲートには、第二チャンネル用信号の位相のまま、スイッチングを制御するために電圧値を調整されたスイッチング制御信号を入力することで実現してもよい。
【００３４】
ここで、参考までに、図５に、図２のように構成された第二スイッチング素子（０２Ａ０２）に入力される第二チャンネル用信号と、前記入力に応じて第二チャンネル用信号を逆位相アンプした−又は＋信号（出力信号）の関係の一例を示す。図５に示すように、第二スイッチング素子は、入力された第二チャンネル用信号のＨｉｇｈ信号又はＬｏｗ信号に応じ、−信号（−Ｖ）又は＋信号（＋Ｖ）を出力することで、第二チャンネル用信号を逆位相アンプした出力信号を生成している。
<<<第一スイッチング素子および第二スイッチング素子を有することによる効果>>>
【００３５】
図２のようにオーディオ用デジテルアンプ（０２Ａ００）を構成することで、同相成分が含まれる第一チャンネル用信号と第二チャンネル用信号が、第一スイッチング素子（０２Ａ０１）および第二スイッチング素子（０２Ａ０２）に入力された場合、スイッチング時（「Ｌｏｗ」→「Ｈｉｇｈ」または「Ｈｉｇｈ」→「Ｌｏｗ」の切替り時）に生じる「出力信号へのノイズ重畳」の問題を効果的に解決することができる。
【００３６】
具体的には、図２のように構成した場合、第一チャンネル用信号と第二チャンネル用信号がともに「Ｌｏｗ信号」から「Ｈｉｇｈ信号」に切り替わる時、第一スイッチング素子（０２Ａ０１）のａ１のＦＥＴ（スイッチａ１）と、第二スイッチング素子（０２Ａ０２）のａ４のＦＥＴ（スイッチａ４）が同時にＯＮされる。その結果、スイッチング時の突入電流が、第一スイッチング素子（０２Ａ０１）においては、矢印Ａに示す向きに流れ、第二スイッチング素子（０２Ａ０２）においては、矢印Ｂに示す向きに流れることとなる。かかる場合、＋Ｖ／−Ｖの定電圧電源には電圧変動が生じるが、ＧＮＤに対しては、矢印Ａおよび矢印Ｂに示す向きに流れる突入電流のそれぞれが打ち消しあうようになるので、突入電流の影響がノイズとなって出力信号に重畳することを軽減することができる。
【００３７】
同様に、第一チャンネル用信号と第二チャンネル用信号がともに「Ｈｉｇｈ信号」から「Ｌｏｗ信号」に切り替わる時においては、第一スイッチング素子（０２Ａ０１）のａ２のＦＥＴ（スイッチａ２）と、第二スイッチング素子（０２Ａ０２）のａ３のＦＥＴ（スイッチａ３）が同時にＯＮされ、前記と同様の効果を得ることができる。
【００３８】
ここで、図７に、図２のように構成した本件デジタルアンプと、従来技術のデジタルアンプとの出力信号へのノイズ重畳の程度の比較結果を示す。図は、ノイズの一例として、歪率の比較結果を示している。横軸は出力ワット数（Ｗ）、縦軸は歪率（％）である。図に示すように、一般的に使用される出力ワット数の範囲内において、本件デジタルアンプの方が、従来技術のデジタルアンプに比べて、歪率の程度が良好であることが確認できた。
【００３９】
なお、第一スイッチング素子（０２Ａ０１）および第二スイッチング素子（０２Ａ０２）を構成するＦＥＴとして、前記はＮチャンネル形を前提に説明したが、前記のような機能を実現できればその種類は特段制限されず、Ｐチャンネル形であってもよい。しかし、第一スイッチング素子（０２Ａ０１）を構成するＦＥＴと、第二スイッチング素子（０２Ａ０２、０３Ａ０２）を構成するＦＥＴは同じ種類にするのが望ましい。
【００４０】
前記のようにして第一スイッチング素子（０２Ａ０１）および第二スイッチング素子（０２Ａ０２）により生成され出力された出力信号は、ローパスフィルタに通すことでＤ／Ａ変換などした後、以下で説明するステレオスピーカに向けて出力される。
<<「ステレオスピーカ」（０２Ｂ００）>>
【００４１】
「ステレオスピーカ」（０２Ｂ００）は、「第一スピーカ」（０２Ｂ０１）と、「第二スピーカ」（０２Ｂ０２）を有する。
【００４２】
「第一スピーカ」（０２Ｂ０１）は、図２に示すように、前記デジタルアンプから出力される第一チャンネル用の信号を入力されるよう構成される。そして、入力された信号に応じて振動板を前後させるなどし、音声を出力する。
【００４３】
「第二スピーカ」（０２Ｂ０２）は、図２に示すように、前記デジタルアンプから出力される第二チャンネル用の信号を、極性を逆にして入力されるよう構成される。このように第二チャンネル用の信号を、極性を逆にして入力することで、オーディオ用デジタルアンプ（０２Ａ００）の第二スイッチング素子（０２Ａ０２）で逆位相アンプされた信号の位相を、正常な位相に戻すことができる。そして、前記位相を正常に戻された信号に応じて振動板を前後させるなどし、音声を出力することとなる。
<本実施形態の処理の流れ>
【００４４】
本実施形態のオーディオシステムのオーディオ用信号処理方法の処理の流れの一例を、図８のフローチャート図を用いて説明する。
【００４５】
まず、オーディオシステムを構成するオーディオ用デジタルアンプに第一チャンネル用オーディオ信号および第二チャンネル用オーディオ信号が入力されると、それらをパルス幅変調などしたデジタル信号である第一チャンネル用信号および第二チャンネル用信号を取得する（Ｓ０８０１：取得ステップ）。
【００４６】
その後、取得ステップ（Ｓ０８０１）にて取得した第一チャンネル用信号および第二チャンネル用信号に応じ、第一スイッチング素子および第二スイッチング素子を制御などして、第一チャンネル用信号をアンプした＋又は−信号と、第二チャンネル用信号を逆位相アンプした−又は＋信号を生成する（Ｓ０８０２：アンプステップ）。
【００４７】
そして、アンプステップ（Ｓ０８０２）にてアンプおよび逆位相アンプされた第一チャンネル用の信号および第二チャンネル用の信号をローパスフィルタに通すことでＤ／Ａ変換する（Ｓ０８０３：変換ステップ）。
【００４８】
その後、変換ステップ（Ｓ０８０３）で変換された、第一チャンネル用の信号をオーディオシステムを構成するステレオスピーカの第一スピーカに入力するとともに、第二チャンネル用の信号を極性を逆にしてステレオスピーカの第二スピーカに入力し、ステレオスピーカを駆動する（Ｓ０８０４：駆動ステップ）。
【００４９】
オーディオシステムを構成するオーディオ用デジタルアンプに第一チャンネル用オーディオ信号および第二チャンネル用オーディオ信号が入力されている間、前記処理を繰り返す。
<本実施形態の効果>
【００５０】
本発明のオーディオ用デジタルアンプにより、定電圧のスイッチング時に生じる「出力信号へのノイズ重畳」の問題を効果的に解決することが可能となる。また、本発明のオーディオ用デジタルアンプを含むオーディオシステムにより、オーディオ用デジタルアンプの定電圧のスイッチング時に生じる「出力信号へのノイズ重畳」による音質劣化の問題を効果的に解決することが可能となる。
【図面の簡単な説明】
【００５１】
【図１】本発明のオーディオ用デジタルアンプの機能を説明するための概念図
【図２】本発明のオーディオシステムの機能ブロック図
【図３】本発明の第一スイッチング素子の機能を説明するための概念図
【図４】本発明の第一スイッチング素子を説明するための概念図
【図５】本発明の第二スイッチング素子の機能を説明するための概念図
【図６】本発明の第二スイッチング素子を説明するための概念図
【図７】本発明のオーディオシステムの効果を説明するための図
【図８】本発明のオーディオシステムの処理の流れの一例を示すフローチャート図
【符号の説明】
【００５２】
０２Ａ００    オーディオ用デジタルアンプ
０２Ａ０１    第一スイッチング素子
０２Ａ０２    第二スイッチング素子
０２Ｂ００    ステレオスピーカ
０２Ｂ０１    第一スピーカ
０２Ｂ０２    第二スピーカ
【図１】
2010118791.tif 000003
【図２】
2010118791.tif 000004
【図３】
2010118791.tif 000005
【図４】
2010118791.tif 000006
【図５】
2010118791.tif 000007
【図６】
2010118791.tif 000008
【図７】
2010118791.tif 000009
【図８】
2010118791.tif 000010